(57)【要約】【課題】ラップフィルムに対する十分な切断能力と耐久性を確保しつつ、取り扱いが簡単な切断部材を提供する。【解決手段】ラップフィルム収納箱Ａは、筒状のフィルム巻回体Ｒを収納する、上面が開口した直方体状の収納部Ｍと、収納部Ｍの後板３から収納部Ｍの上面開口側に延設し当該上面開口を開閉する蓋板１０と、蓋板１０からさらにＭ収納部の前板１側に延設する掩蓋片１１とを有する蓋部Ｎと、を有している。掩蓋片１１の先端に切断部材Ｋが設けられている。切断部材Ｋは、アルミ箔層２１と非金属層２０を含む多層構造を有している。【選択図】図４
2015083484.tif 000002
【特許請求の範囲】
【請求項１】
ラップフィルム収納箱に設けられ、ラップフィルムを切断するための切断部材であって、
アルミ箔層と非金属層を含む多層構造を有する、切断部材。
【請求項２】
前記アルミ箔層は、前記非金属層の表面に形成されている、請求項１に記載の切断部材。
【請求項３】
前記非金属層は、熱可塑性樹脂層である、請求項１又は２に記載の切断部材。
【請求項４】
前記熱可塑性樹脂層がポリエステル系樹脂からなる、請求項３に記載の切断部材。
【請求項５】
前記非金属層は、紙層である、請求項１又は２に記載の切断部材。
【請求項６】
前記アルミ箔層の重量比率が５０％未満である、請求項１〜５のいずれかに記載の切断部材。
【請求項７】
前記多層構造の厚みが０．１ｍｍ〜０．５ｍｍである、請求項１〜６のいずれかに記載の切断部材。
【請求項８】
少なくとも一辺が鋸刃形状である、請求項１〜７のいずれかに記載の切断部材。
【請求項９】
M字形状を有する、請求項１〜８のいずれかに記載の切断部材。
【請求項１０】
筒状のフィルム巻回体を収納する、上面が開口した直方体状の収納部と、
前記収納部の後板から前記収納部の上面開口側に延設し当該上面開口を開閉する蓋板と、当該蓋板からさらに前記収納部の前板側に延設する掩蓋片とを有する蓋部と、を有し、
前記掩蓋片の先端に、請求項１〜９のいずれかに記載の切断部材が設けられた、ラップフィルム収納箱。
【請求項１１】
前記切断部材が、前記掩蓋片に対しカシメにより固定されている、請求項１０に記載のラップフィルム収納箱。
【請求項１２】
前記切断部材は、前記掩蓋片の裏面に取り付けられ、前記非金属層が前記掩蓋片と反対側に向けられている、請求項１０又は１１に記載のラップフィルム収納箱。
【請求項１３】
請求項１０〜１２のいずれかに記載のラップフィルム収納箱に、ＰＶＤＣ系ラップフィルムを巻回したフィルム巻回体を収納した食品包装用装置。
【発明の詳細な説明】
【技術分野】
【０００１】
本発明は、特に食品包装用のラップフィルム、アルミホイル、クッキングシート等（以下、「ラップフィルム」と称す。）を巻回した筒状のフィルム巻回体を収納するラップフィルム収納箱に設けられ、フィルム巻回体のラップフィルムを必要に応じて所望の長さに切断する切断部材と、当該切断部材を有するラップフィルム収納箱と、当該ラップフィルム収納箱にフィルム巻回体を収納した食品包装用装置に関するものである。
【背景技術】
【０００２】
ラップフィルムは、通常、紙製の芯体に巻回されて筒状のフィルム巻回体を構成し、その状態で紙製の直方体状のラップフィルム収納箱に収納されている。このラップフィルム収納箱は、通常、上面が開口した直方体状の収納部と、後板から収納部の上面開口側に延設し当該上面開口を開閉する蓋板と、当該蓋板からさらに収納部の前板側に延設する掩蓋片を有している。フィルム巻回体から引き出されたラップフィルムは、掩蓋片の先端に取り付けられた切断部材により所望の長さに切断され使用される。
【０００３】
従来から、この種のラップフィルム収納箱には、ブリキなどの金属製の切断部材が多く用いられている。金属製の切断部材は、ラップフィルムの切断能力（カット性）が高いが、その分安全を確保するために取り扱いには十分に配慮する必要がある。例えばラップフィルム収納箱を廃棄、或いはリサイクルするため、切断部材をラップフィルム収納箱から取り外すときに、切断部材が跳ね上がる場合があるため注意が必要である。
【０００４】
そこで、より安全で取り扱いが簡単な、紙やプラスチックなどの非金属製の切断部材が提案されている（特許文献１〜３）。
【先行技術文献】
【特許文献】
【０００５】
【特許文献１】特許第３０３４６９１号
【特許文献２】特許第４７９４１８７号
【特許文献３】特許第４９９６４１９号
【発明の概要】
【発明が解決しようとする課題】
【０００６】
しかしながら、上述の非金属製の切断部材は、金属製の切断部材と比較して剛性が低く、切断能力と耐久性が劣っている。
【０００７】
例えば特許文献１では、紙製の切断部材が用いられているが、金属製の切断部材に比べて切れ性、耐久性に劣ることは否めない。特許文献２では超音波融着法での接着強度を高めるために、切断部材に特殊なポリ乳酸系重合体を用いることが提案されている。特許文献３ではポリエステル系樹脂からなる切断刃が提案されているが、カット性能を高めるために、鋸刃状の刃の先端をより鋭利な形状にしなければならず、使用時の耐久性に問題がある。
【０００８】
本発明はかかる点に鑑みてなされたものであり、ラップフィルムに対する十分な切断能力と耐久性を確保しつつ、取り扱いが簡単な切断部材、該切断部材を備えたラップフィルム収納箱、及び食品包装用装置を提供することを目的とする。
【課題を解決するための手段】
【０００９】
本発明者らは、上記課題を解決するため鋭意検討した結果、アルミ箔層を用いた切断部材を用いることで上記種々の課題が解決されることを見出し、本発明をなすに至った。すなわち、本発明は下記（１）〜（１３）を提供する。
【００１０】
（１）ラップフィルム収納箱に設けられ、ラップフィルムを切断するための切断部材であって、アルミ箔層と非金属層を含む多層構造を有する、切断部材。
（２）前記アルミ箔層は、前記非金属層の表面に形成されている、（１）に記載の切断部材。
（３）前記非金属層は、熱可塑性樹脂層である、（１）又は（２）に記載の切断部材。
（４）前記熱可塑性樹脂層がポリエステル系樹脂からなる、（３）に記載の切断部材。
（５）前記非金属層は、紙層である、（１）又は（２）に記載の切断部材。
（６）前記アルミ箔層の重量比率が５０％未満である、（１）〜（５）のいずれかに記載の切断部材。
（７）前記多層構造の厚みが０．１ｍｍ〜０．５ｍｍである、（１）〜（６）のいずれかに記載の切断部材。
（８）少なくとも一辺が鋸刃形状である、（１）〜（７）のいずれかに記載の切断部材。
（９）M字形状を有する、（１）〜（８）のいずれかに記載の切断部材。
（１０）筒状のフィルム巻回体を収納する、上面が開口した直方体状の収納部と、前記収納部の後板から前記収納部の上面開口側に延設し当該上面開口を開閉する蓋板と、当該蓋板からさらに前記収納部の前板側に延設する掩蓋片とを有する蓋部と、を有し、前記掩蓋片の先端に、（１）〜（９）のいずれかに記載の切断部材が設けられた、ラップフィルム収納箱。
（１１）前記切断部材が、前記掩蓋片に対しカシメにより固定されている、（１０）に記載のラップフィルム収納箱。
（１２）前記切断部材は、前記掩蓋片の裏面に取り付けられ、前記非金属層が前記掩蓋片と反対側に向けられている、（１０）又は（１１）に記載のラップフィルム収納箱。
（１３）（１０）〜（１２）のいずれかに記載のラップフィルム収納箱に、ＰＶＤＣ系ラップフィルムを巻回したフィルム巻回体を収納した食品包装用装置。
【発明の効果】
【００１１】
本発明によれば、ラップフィルムに対する十分な切断能力と耐久性を確保しつつ、安全で取り扱いが簡単な切断部材と、該切断部材を備えたラップフィルム収納箱、及び食品包装用装置を提供できる。また、従来の金属製の切断部材の場合、ラップフィルム収納箱を廃棄又はリサイクルする際に、切断部材をラップフィルム収納箱本体から取り外して分別する必要があったが、本発明によれば、その分別を行う必要がなく、簡単に廃棄或いはリサイクルすることもできる。
【図面の簡単な説明】
【００１２】
【図１】ラップフィルム収納箱の蓋部を開けた状態を示す斜視図である。
【図２】ラップフィルム収納箱を展開した板紙表面を示す平面図である。
【図３】切断部材が取り付けられた掩蓋片の裏面を示す説明図である。
【図４】切断部材の多層構造を示す断面図である。
【図５】掩蓋片に取り付けられた切断部材の向きを示す説明図である。
【図６】切断部材を掩蓋片にカシメ固定する例を示す断面図である。
【図７】切断部材の他の多層構造例を示す断面図である。
【図８】切断部材の他の多層構造例を示す説明図である。
【図９】Ｍ字状の切断部材の一例を示す説明図である。
【図１０】実施例の切断部材の形状を説明するための拡大図である。
【発明を実施するための形態】
【００１３】
以下、本発明の実施の形態について説明する。なお、以下の実施の形態は、本発明を説明するための例示であり、本発明はその実施の形態のみに限定されるものではない。同一の要素には同一の符号を付し、重複する説明は省略する。また、図面中、上下左右等の位置関係は、特に断らない限り、図面に示す位置関係に基づくものとする。さらに、図面の寸法比率は、図示の比率に限定されるものではない。
【００１４】
図１は、本実施の形態にかかるラップフィルム収納箱Ａの概略を示す斜視図であり、図２は、図１のラップフィルム収納箱Ａの表面側の展開図である。
【００１５】
図１に示すラップフィルム収納箱Ａは、上面が開口し、筒状のラップフィルム巻回体Ｒを収納可能な収納部Ｍと、収納部Ｍの上面開口を開閉可能な蓋部Ｎを有している。収納部Ｍは、前板１と、底板２と、後板３と、底板２の長手方向の両端に接続された脇板４と、後板３の長手方向の両端に接続された補助脇板５と、前板１の両端に接続された補助脇板６を有している。前板１の上端縁には、前板１の裏面側に折り返された縁折片７が接続され、縁折片７の長手方向の両側には、ガイド片８が接続されている。なお、縁折片７は、あってもなくてもよく、前板１の裏面に接着されていてもよい。また、前板１の表面には、例えばラップフィルムＦの端部を仮留めする仮留め部Ｑが設けられている。
【００１６】
蓋部Ｎは、収納部Ｍの後板３の上端縁から収納部Ｍの上面開口を覆う方向に延設された蓋板１０と、蓋板１０から収納部Ｍの前板１側に延設された掩蓋片１１と、蓋板１０の長手方向の両端に接続された脇板１２と、掩蓋片１１の長手方向の両端に接続された補助脇板１３と、掩蓋片１１の先端に接続された開封片１４を有している。
【００１７】
図２に示すように開封片１４は、ラップフィルム収納箱Ａの長手方向に沿って帯状に形成されている。開封片１４は、掩蓋片１１の先端縁に切り取り線１５を介して接続されている。開封前、開封片１４は、前板１の表面下部に接着されている。この開封片１４によって蓋部Ｎが封止されており、開封片１４を切り取り線１５に沿って切り取ることによって蓋部Ｎを開封することができる。
【００１８】
図１及び図３に示すように掩蓋片１１の先端部の裏側には、収納部Ｍのフィルム巻回体Ｒから引き出されたラップフィルムＦを切断する切断部材Ｋが設けられている。切断部材Ｋは、例えば接着剤により掩蓋片１１に取り付けられている。切断部材Ｋは、例えば一辺に鋸刃形状を有する長尺の長方形に形成され、ラップフィルム収納箱Ａ（掩蓋片１１）の長手方向の両側端に亘って設けられている。この切断部材Ｋは、開封片１４を切り取る前は、開封片１４で覆われており、開封片１４を切り取った時に掩蓋片１１の先端縁で露出する。
【００１９】
切断部材Ｋは、図４に示すように厚み方向に非金属層２０とアルミ箔層２１が積層された多層構造を有している。非金属層２０は、例えば熱可塑性樹脂層であり、熱可塑性樹脂として例えばポリエステル系樹脂、ポリスチレン系樹脂などが用いられている。アルミ箔層２１は、例えば非金属層２０の片側の表面に形成されている。切断部材Ｋの厚みは、例えば０．１ｍｍ〜０．５ｍｍ、好ましくは、０．１ｍｍ〜０．３ｍｍ、より好ましくは、０．１５ｍｍ〜０．２５ｍｍであり、そのうち例えばアルミ箔層２１の重量比率が９０％以下、好ましくは７０％以下、より好ましくは５０％未満である。
【００２０】
切断部材Ｋは、図５に示すように掩蓋片１１の裏面側に取り付けられ、掩蓋片１１に対し、アルミ箔層２１が掩蓋片１１側に、非金属層２０が掩蓋片１１の反対側に向くように取り付けられている。
【００２１】
切断部材Ｋは、例えば非金属層２０となる樹脂板に、アルミ箔層２１となるアルミ箔フィルムを接着剤等でラミネートし、切断部材Ｋの形に打ち抜くことにより製造される。なお、切断部材Ｋの製造方法はこれに限られず、型枠に嵌め込まれたアルミ箔層２１に、非金属層２０となる樹脂を流し込んで固めることにより製造されてもよい。
【００２２】
フィルム巻回体Ｒには、例えばＰＶＤＣ系ラップフィルムＦが巻回されている。このフィルム巻回体Ｒがラップフィルム収納箱Ａに収納されて食品包装用装置が構成される。
【００２３】
ユーザーがラップフィルムＦを使用する際には、例えば片手でラップフィルム収納箱Ａを略水平に持ち、蓋部Ｎを軽く閉じた状態で、もう片方の手でラップフィルム収納箱Ａ内のフィルム巻回体Ｒから所望の長さのラップフィルムＦを引き出す。次に、引き出したラップフィルムＦを上方に引っ張り、蓋部Ｎの掩蓋片１１の先端の切断部材ＫによりラップフィルムＦを切断する。切断後に残ったラップフィルムＦは、仮留め部Ｑにくっ付いて仮留めされ、フィルム巻回体Ｒへの巻き戻りが防止される。
【００２４】
本実施の形態によれば、切断部材Ｋが、非金属層２０とアルミ箔層２１からなる多層構造を有するので、非金属製のものに比べて剛性が上がり、ラップフィルムＦに対する十分なカット性が得られ、また十分な耐久性も得られる。また、切断部材Ｋは、非金属層２０とアルミ箔層２１の組み合わせであり、金属製のものに比べて安全であるので、廃棄時やリサイクル時の切断部材Ｋの取り扱いが簡単になる。したがって、本実施の形態によれば、ラップフィルムに対する十分な切断能力と耐久性を確保しつつ、取り扱いが簡単な切断部材Ｋが提供される。
【００２５】
また、非金属層２０が熱可塑性樹脂層であるので、安全性が上がり取り扱いが容易になり、またラップフィルム収納箱Ａに対する取り外しが容易になる。
【００２６】
アルミ箔層２１の重量比率が５０％未満であるので、切断部材Ｋが軽量となり、取り扱い易くなる。
【００２７】
切断部材Ｋは、厚みが０．１ｍｍ〜０．５ｍｍであるので、良好な切断性、良好な切れ味、及び優れた耐久性を高水準で得ることができる。
【００２８】
上記実施の形態において、切断部材Ｋが掩蓋片１１の裏面に取り付けられているが、掩蓋片１１に対する非金属層２０及びアルミ箔層２１の向きは逆であってもよい。
【００２９】
上記実施の形態において、切断部材Ｋは、掩蓋片１１に対しカシメ法により固定されていてもよい。かかる場合、図６に示すように切断部材Ｋの長手方向に沿った複数個所にカシメ固定部３０を設けてもよい。カシメ固定部３０は、切断部材Ｋを打ち抜いて切断部材Ｋの一方の面に突出するカシメ爪３１を有し、当該カシメ爪３１を掩蓋片１１の紙板内部に挿入することによって形成されている。カシメ爪３１は、アルミ箔層２１側から突出している。かかる場合、切断部材Ｋにアルミ箔層２１があるため、カシメ爪３１を適切に形成することができ、これによって切断部材Ｋを掩蓋片１１にカシメ固定できる。この結果、切断部材Ｋを掩蓋片１１にしっかり固定できるとともに、切断部材Ｋを掩蓋片１１から容易に取り外すことができる。なお、カシメ固定部３０の数や配置、カシメ爪３１の形状等は、任意に選択できる。
【００３０】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００３１】
例えば以上の実施の形態において、切断部材Ｋは、非金属層２０の片側の表面にアルミ箔層２１が設けられたものであったが、切断部材Ｋの多層構造はこれに限られない。例えば図７に示すように非金属層２０の両面にアルミ箔層２１が設けられていてもよい。かかる場合、切断部材Ｋの剛性が上がり、カット性及び耐久性を向上できる。また、図８に示すようにアルミ箔層２１の両面に非金属層２０が設けられていてもよい。この場合も、切断部材Ｋの剛性が上がり、カット性及び耐久性を向上できる。
【００３２】
切断部材Ｋの非金属層２０は、紙層であってもよく、多層構造がアルミ箔層２１と紙層の非金属層２０から構成されていてもよい。
【００３３】
さらに、以上の実施の形態における切断部材Ｋは、一辺に鋸刃が形成されていたが、他の辺にも鋸刃が形成されていてもよい。また、切断部材Ｋは、直線的な長方形状を有するものであったが、他の形状を有するものにも本発明は適用できる。例えば切断部材Ｋは、図９に示すようにＭ字形状のものであってもよい。この場合、切断部材Ｋは、長手方向の中央部が下（収納箱の底側）に凸のＶ字型状又は円弧型状に突出し、左右両端部が端に近づくほど下に突出していてもよい。その他、切断部材Ｋの形状は、Ｖ状、アーチ状等従来公知のものであってもよく特に制限されない。切断部材Ｋは、必ずしも掩蓋片１１に取り付けられている必要はなく、ラップフィルム収納箱Ａの他の位置に取り付けられていてもよい。
【００３４】
以上の実施の形態におけるラップフィルム収納箱Ａの形状、構造もこれに限られない。また、フィルム巻回体Ｒに巻回されるラップフィルムの種類も、ＰＶＤＣ系のものに限られず、例えばＰＯ系、ＰＶＣ系などであってもよい。
【実施例】
【００３５】
実施例、比較例及び参考例における測定方法及び評価方法は下記の通りである。
【００３６】
（カット性）
表１、表２に示す切断部材Ｋのカット性を検証するため、ラップフィルムＦを切断するために必要となるカットエネルギー（ｍＪ）を測定した。測定は、旭化成ホームプロダクツ株式会社により製造、販売されている「サランラップ（登録商標）」に使用されているラップフィルム収納箱（長さ約３１ｃｍ、幅４．５ｃｍ、高さ４．５ｃｍの紙製の箱）に、表１、２に示す切断部材を接着し、該ラップフィルム収納箱内に収容されたポリ塩化ビニリデンのラップフィルムを実際に切断した。切断部材Ｋは、図１０に示す、歯山４０の高さＨが０．５５ｍｍ、歯山４０の歯先の広がり角θが５８．２°、刃先のピッチの長さＬ１が１．１８ｍｍ、平坦部４１の長さＬ２が０．２１ｍｍの鋸刃状に加工したものを使用した。また、切断部材Ｋの樹脂の材質として、ＰＥＴ、ＰＬＡ（ポリ乳酸）、ＰＳ（ポリスチレン）を用いた。ラップフィルム収納箱Ａの傾き角度５０°、水平角度２５°、カットスピード１ｍ／ｍｉｎで行った。カットエネルギー（ｍＪ）は５回の平均値とし、カット性の評価は次のように行った。
◎：３０ｍＪ未満
○：３０ｍＪ以上、４０ｍＪ未満
△：４０ｍＪ以上、５０ｍＪ未満
×：５０ｍＪ以上
なお、この「傾き角度」は、ラップフィルム収納箱Ａの長手方向の軸芯（フィルム巻回体Ｒの軸）を回転軸として、ラップフィルムＦを引き出す方向に回転させて傾けた角度であり、「水平角度」は、ラップフィルム収納箱Ａの長手方向の一端の前方側をラップの引き出し方向とは逆方向に下げたときの角度である。評価の結果は、表１、表２に示す。
【００３７】
【表１】
2015083484.tif 000003
【００３８】
【表２】
2015083484.tif 000004
【００３９】
（耐久性）
表１、表２に示す切断部材Ｋの耐久性を検証するため、１００人のモニターが前記ラップフィルム収納箱内に収容されたポリ塩化ビニリデンのラップフィルム２０ｍを全てカットした後（１回当たり約３０ｃｍの引き出し長さで１箱当たり６０回前後のカット回数となる。）、刃山の変形具合を確認した。耐久性は、刃山が５つ以上変形したモニター数から判断し、耐久性の評価は次のように行った。評価の結果は、表１、表２に示す。
◎：３人未満
〇：３人以上、５人未満
△：５人以上、１０人未満
×：１０人以上
【産業上の利用可能性】
【００４０】
本発明は、ラップフィルムに対する切断能力と耐久性を確保しつつ、取り扱いが簡単な切断部材を提供する際に有用である。
【符号の説明】
【００４１】
１  前板
３  後板
１０  蓋板
１１  掩蓋片
２０  非金属層
２１  アルミ箔層
Ａ  ラップフィルム収納箱
Ｆ  ラップフィルム
Ｋ  切断部材
Ｍ  収納部
Ｎ  蓋部
Ｒ  フィルム巻回体
【図１】
2015083484.tif 000005
【図２】
2015083484.tif 000006
【図３】
2015083484.tif 000007
【図４】
2015083484.tif 000008
【図５】
2015083484.tif 000009
【図６】
2015083484.tif 000010
【図７】
2015083484.tif 000011
【図８】
2015083484.tif 000012
【図９】
2015083484.tif 000013
【図１０】
2015083484.tif 000014